(57)【特許請求の範囲】
【請求項１】
主部と副部とから構成され、
前記主部は、
透液性の表面シートと、不透液性の裏面シートと、前記表面シートと前記裏面シートとの間に介装される主吸収体とを備え、人体に装着される外装体に取り付けられて使用され、装着時に、着用者の腹側に位置する腹側部と、背側に位置する背側部と、前記腹側部と前記背側部との間に位置する股下部と、脚周りに位置する二つの脚周り部と、を備え、
前記副部は、
互いに分離された複数の副吸収体と、
当該複数の副吸収体を個別に包囲するとともに易切り離し線を介して切り離し容易に繋げる透液性の包囲シートとを備え、
前記易切り離し線が前記腹側部から前記背側部に至る方向に延在するように、前記包囲シートの前記易切り離し線に沿った一方向に位置する一端縁が前記表面シートに連結されてフラップ状に可動自在に構成され、
前記表面シートと前記包囲シートとが連続した一枚のシートとして形成されることで前記連結がなされた吸収性物品。
【請求項２】
主部と副部とから構成され、
前記主部は、
透液性の表面シートと、不透液性の裏面シートと、前記表面シートと前記裏面シートとの間に介装される主吸収体とを備え、人体に装着される外装体に取り付けられて使用され、装着時に、着用者の腹側に位置する腹側部と、背側に位置する背側部と、前記腹側部と前記背側部との間に位置する股下部と、脚周りに位置する二つの脚周り部と、を備え、
前記副部は、
互いに分離された複数の副吸収体と、
当該複数の副吸収体を個別に包囲するとともに易切り離し線を介して切り離し容易に繋げる透液性の包囲シートとを備え、
前記易切り離し線が前記腹側部から前記背側部に至る方向に延在するように、前記包囲シートの前記易切り離し線に沿った一方向に位置する一端縁が前記表面シートに連結されてフラップ状に可動自在に構成され、
前記一端縁が前記股下部で前記表面シートに連結され
前記主吸収体は、前記一端縁よりも腹側の前記副部が敷き置かれる部分が、当該部分より背側の部分に比較して薄く形成された吸収性物品。
【請求項３】
主部と副部とから構成され、
前記主部は、
透液性の表面シートと、不透液性の裏面シートと、前記表面シートと前記裏面シートとの間に介装される主吸収体とを備え、人体に装着される外装体に取り付けられて使用され、装着時に、着用者の腹側に位置する腹側部と、背側に位置する背側部と、前記腹側部と前記背側部との間に位置する股下部と、脚周りに位置する二つの脚周り部と、を備え、
前記副部は、
互いに分離された複数の副吸収体と、
当該複数の副吸収体を個別に包囲するとともに易切り離し線を介して切り離し容易に繋げる透液性の包囲シートとを備え、
前記易切り離し線が前記腹側部から前記背側部に至る方向に延在するように、前記包囲シートの前記易切り離し線に沿った一方向に位置する一端縁が前記表面シートに連結されてフラップ状に可動自在に構成され、
前記一端縁が前記股下部で前記表面シートに連結され
前記副吸収体の前記一端縁に臨む端面が、外側ほど前記一端縁から離れるように斜めに形成された吸収性物品。
【請求項４】
前記副部の動作により前記表面シートと接離する前記副部の一面と、前記表面シートとを着脱自在に止着する止着部を備える請求項１から請求項３のうちいずれか一に記載の吸収性物品。
【請求項５】
主部と副部とから構成され、
前記主部は、
透液性の表面シートと、不透液性の裏面シートと、前記表面シートと前記裏面シートとの間に介装される主吸収体とを備え、人体に装着される外装体に取り付けられて使用され、装着時に、着用者の腹側に位置する腹側部と、背側に位置する背側部と、前記腹側部と前記背側部との間に位置する股下部と、脚周りに位置する二つの脚周り部と、を備え、
前記副部は、
互いに分離された複数の副吸収体と、
当該複数の副吸収体を個別に包囲するとともに易切り離し線を介して切り離し容易に繋げる透液性の包囲シートとを備え、
前記易切り離し線が前記腹側部から前記背側部に至る方向に延在するように、前記包囲シートの前記易切り離し線に沿った一方向に位置する一端縁が前記表面シートに連結されてフラップ状に可動自在に構成され、
前記主吸収体の前記一端縁よりも腹側の部分が、前記腹側部から前記背側部に至る方向に延在する易切り離し線を介して分岐して腹側を先端としてそれぞれフラップ状に可動自在に構成された吸収性物品。
【請求項６】
主部と副部とから構成され、
前記主部は、
透液性の表面シートと、不透液性の裏面シートと、前記表面シートと前記裏面シートとの間に介装される主吸収体とを備え、人体に装着される外装体に取り付けられて使用され、装着時に、着用者の腹側に位置する腹側部と、背側に位置する背側部と、前記腹側部と前記背側部との間に位置する股下部と、脚周りに位置する二つの脚周り部と、を備え、
前記副部は、
互いに分離された複数の副吸収体と、
当該複数の副吸収体を個別に包囲するとともに易切り離し線を介して切り離し容易に繋げる透液性の包囲シートとを備え、
前記易切り離し線が前記腹側部から前記背側部に至る方向に延在するように、前記包囲シートの前記易切り離し線に沿った一方向に位置する一端縁が前記表面シートに連結されてフラップ状に可動自在に構成され、
前記副部を前記主部から切り離し容易にする易切り離し線が設けられた吸収性物品。
【請求項７】
主部と副部とから構成され、
前記主部は、
透液性の表面シートと、不透液性の裏面シートと、前記表面シートと前記裏面シートとの間に介装される主吸収体とを備え、人体に装着される外装体に取り付けられて使用され、装着時に、着用者の腹側に位置する腹側部と、背側に位置する背側部と、前記腹側部と前記背側部との間に位置する股下部と、脚周りに位置する二つの脚周り部と、を備え、
前記副部は、
互いに分離された複数の副吸収体と、
当該複数の副吸収体を個別に包囲するとともに易切り離し線を介して切り離し容易に繋げる透液性の包囲シートとを備え、
前記易切り離し線が前記腹側部から前記背側部に至る方向に延在するように、前記包囲シートの前記易切り離し線に沿った一方向に位置する一端縁が前記表面シートに連結されてフラップ状に可動自在に構成され、
前記連結は伸縮部を介した連結であり、当該伸縮部の伸縮により前記副吸収体を前記一端縁から離したり、これに近づけたりすることが可能に構成された吸収性物品。
【請求項８】
前記主部は、前記一端縁の外側で前記主吸収体の長手方向両側縁に沿って形成された立体ギャザーを備える請求項１から請求項７のうちいずれか一に記載の吸収性物品。
【発明の詳細な説明】
【技術分野】
【０００１】
本発明は、吸収性物品に関する。
【背景技術】
【０００２】
従来、吸収性物品として、おむつやおむつカバー、パンツなどの人体に装着される外装体の内側に取り付けられて使用される吸収パッドが知られている。
このような吸収性物品においては、尿等の排泄物の漏れ防止が一つの課題となる。
特許文献１には、鼠径部に起因する漏れを防止するため、透液性の表面シートと、裏面シートとの間に吸収体が介在された吸収性物品であって、裏面シートに着衣に対して止着するための止着部（４）を有し、吸収体（３Ａ，３Ａ）を複数有し、易切り離し線（５）で切り離し容易に構成された吸収パッド（Ｑ１〜Ｑ３）が提案されている。
一方、装着時に着用者の股部を腹側から背側にかけて覆うように形成された吸収パッドが利用されている。
【先行技術文献】
【特許文献】
【０００３】
【特許文献１】特開２００８−０７９８６６号公報
【発明の概要】
【発明が解決しようとする課題】
【０００４】
本発明は、装着時に着用者の股部を腹側から背側にかけて覆うように形成された吸収性物品主部に、さらに副部として吸収体を取り付けて、その使い易さ、副部の吸収体の自在性を向上し、主部の鼠径部等からの漏れ防止性を向上することを課題とする。
【課題を解決するための手段】
【０００５】
以上の課題を解決するための請求項１記載の発明は、主部と副部とから構成され、
前記主部は、
透液性の表面シートと、不透液性の裏面シートと、前記表面シートと前記裏面シートとの間に介装される主吸収体とを備え、人体に装着される外装体に取り付けられて使用され、装着時に、着用者の腹側に位置する腹側部と、背側に位置する背側部と、前記腹側部と前記背側部との間に位置する股下部と、脚周りに位置する二つの脚周り部と、を備え、
前記副部は、
互いに分離された複数の副吸収体と、
当該複数の副吸収体を個別に包囲するとともに易切り離し線を介して切り離し容易に繋げる透液性の包囲シートとを備え、
前記易切り離し線が前記腹側部から前記背側部に至る方向に延在するように、前記包囲シートの前記易切り離し線に沿った一方向に位置する一端縁が前記表面シートに連結されてフラップ状に可動自在に構成され、
前記表面シートと前記包囲シートとが連続した一枚のシートとして形成されることで前記連結がなされた吸収性物品である。
【０００６】
請求項１記載の発明によれば、おむつやおむつカバー、パンツなどの人体に装着される外装体に内装することにより、主吸収体を備えた主部で着用者の股部を腹側から背側にかけて覆うことができるとともに、複数の副吸収体を備えた副部をフラップ状に自在に動かすことができ、複数の副吸収体同士を易切り離し線で切り離すことにより、副吸収体を互いに独立させてそれぞれフラップ状に自在に動かすことができ、左右の鼠径部それぞれに副吸収体をあてがうことができる。
また請求項１記載の発明によれば、前記表面シートと前記包囲シートとの連結部位の肌触りが良好となる。
【００１１】
請求項２記載の発明は、主部と副部とから構成され、
前記主部は、
透液性の表面シートと、不透液性の裏面シートと、前記表面シートと前記裏面シートとの間に介装される主吸収体とを備え、人体に装着される外装体に取り付けられて使用され、装着時に、着用者の腹側に位置する腹側部と、背側に位置する背側部と、前記腹側部と前記背側部との間に位置する股下部と、脚周りに位置する二つの脚周り部と、を備え、
前記副部は、
互いに分離された複数の副吸収体と、
当該複数の副吸収体を個別に包囲するとともに易切り離し線を介して切り離し容易に繋げる透液性の包囲シートとを備え、
前記易切り離し線が前記腹側部から前記背側部に至る方向に延在するように、前記包囲シートの前記易切り離し線に沿った一方向に位置する一端縁が前記表面シートに連結されてフラップ状に可動自在に構成され、
前記一端縁が前記股下部で前記表面シートに連結され
前記主吸収体は、前記一端縁よりも腹側の前記副部が敷き置かれる部分が、当該部分より背側の部分に比較して薄く形成された吸収性物品である。
【００１２】
請求項２記載の発明によれば、おむつやおむつカバー、パンツなどの人体に装着される外装体に内装することにより、主吸収体を備えた主部で着用者の股部を腹側から背側にかけて覆うことができるとともに、複数の副吸収体を備えた副部をフラップ状に自在に動かすことができ、複数の副吸収体同士を易切り離し線で切り離すことにより、副吸収体を互いに独立させてそれぞれフラップ状に自在に動かすことができ、左右の鼠径部それぞれに副吸収体をあてがうことができる。
また請求項２記載の発明によれば、股下部を基点として副部全体や易切り離し線で切り離された副吸収体それぞれをフラップ状に自在に動かすことができる。
さらに請求項２記載の発明によれば、副部を表面シートとの連結部位又は途中で折り曲げて使用しない場合に、副部を腹側に倒して主吸収体の上に敷き置くことにより、副部の収まりが良好で使用感が向上する。
【００１３】
請求項３記載の発明は、主部と副部とから構成され、
前記主部は、
透液性の表面シートと、不透液性の裏面シートと、前記表面シートと前記裏面シートとの間に介装される主吸収体とを備え、人体に装着される外装体に取り付けられて使用され、装着時に、着用者の腹側に位置する腹側部と、背側に位置する背側部と、前記腹側部と前記背側部との間に位置する股下部と、脚周りに位置する二つの脚周り部と、を備え、
前記副部は、
互いに分離された複数の副吸収体と、
当該複数の副吸収体を個別に包囲するとともに易切り離し線を介して切り離し容易に繋げる透液性の包囲シートとを備え、
前記易切り離し線が前記腹側部から前記背側部に至る方向に延在するように、前記包囲シートの前記易切り離し線に沿った一方向に位置する一端縁が前記表面シートに連結されてフラップ状に可動自在に構成され、
前記一端縁が前記股下部で前記表面シートに連結され
前記副吸収体の前記一端縁に臨む端面が、外側ほど前記一端縁から離れるように斜めに形成された吸収性物品である。
【００１４】
請求項３記載の発明によれば、おむつやおむつカバー、パンツなどの人体に装着される外装体に内装することにより、主吸収体を備えた主部で着用者の股部を腹側から背側にかけて覆うことができるとともに、複数の副吸収体を備えた副部をフラップ状に自在に動かすことができ、複数の副吸収体同士を易切り離し線で切り離すことにより、副吸収体を互いに独立させてそれぞれフラップ状に自在に動かすことができ、左右の鼠径部それぞれに副吸収体をあてがうことができる。
また請求項３記載の発明によれば、股下部を基点として副部全体や易切り離し線で切り離された副吸収体それぞれをフラップ状に自在に動かすことができる。
さらに請求項３記載の発明によれば、易切り離し線で切り離された個々の副吸収体を包囲する包囲シートを表面シートとの連結部位で折り返して当該副吸収体が鼠径部に沿うように外側に倒しやすくなる。
【００１７】
請求項４記載の発明は、前記副部の動作により前記表面シートと接離する前記副部の一面と、前記表面シートとを着脱自在に止着する止着部を備える請求項１から請求項３のうちいずれか一に記載の吸収性物品である。
【００１８】
請求項４記載の発明によれば、フラップ状に自在に動作する副部を前記表面シートに止着して、全長又は一部に亘ってフラップ状に動作しないように固定することが容易であるとともに、止着を外して再びフラップ状に動作するように自由にすることが容易である。
【００１９】
請求項５記載の発明は、主部と副部とから構成され、
前記主部は、
透液性の表面シートと、不透液性の裏面シートと、前記表面シートと前記裏面シートとの間に介装される主吸収体とを備え、人体に装着される外装体に取り付けられて使用され、装着時に、着用者の腹側に位置する腹側部と、背側に位置する背側部と、前記腹側部と前記背側部との間に位置する股下部と、脚周りに位置する二つの脚周り部と、を備え、
前記副部は、
互いに分離された複数の副吸収体と、
当該複数の副吸収体を個別に包囲するとともに易切り離し線を介して切り離し容易に繋げる透液性の包囲シートとを備え、
前記易切り離し線が前記腹側部から前記背側部に至る方向に延在するように、前記包囲シートの前記易切り離し線に沿った一方向に位置する一端縁が前記表面シートに連結されてフラップ状に可動自在に構成され、
前記主吸収体の前記一端縁よりも腹側の部分が、前記腹側部から前記背側部に至る方向に延在する易切り離し線を介して分岐して腹側を先端としてそれぞれフラップ状に可動自在に構成された吸収性物品である。
【００２０】
請求項５記載の発明によれば、おむつやおむつカバー、パンツなどの人体に装着される外装体に内装することにより、主吸収体を備えた主部で着用者の股部を腹側から背側にかけて覆うことができるとともに、複数の副吸収体を備えた副部をフラップ状に自在に動かすことができ、複数の副吸収体同士を易切り離し線で切り離すことにより、副吸収体を互いに独立させてそれぞれフラップ状に自在に動かすことができ、左右の鼠径部それぞれに副吸収体をあてがうことができる。
また請求項５記載の発明によれば、表面シートに基端をおいてフラップ状に可動する部分が、少なくとも二つに分かれる上層の副吸収体に加え、下層にも少なくとも二つが増加し、少なくとも上下２つずつで合計４つとなり、これらの可動部を自在に配置することにより装着感やもれ防止性を良好にして使用することができる。
【００２１】
請求項６記載の発明は、主部と副部とから構成され、
前記主部は、
透液性の表面シートと、不透液性の裏面シートと、前記表面シートと前記裏面シートとの間に介装される主吸収体とを備え、人体に装着される外装体に取り付けられて使用され、装着時に、着用者の腹側に位置する腹側部と、背側に位置する背側部と、前記腹側部と前記背側部との間に位置する股下部と、脚周りに位置する二つの脚周り部と、を備え、
前記副部は、
互いに分離された複数の副吸収体と、
当該複数の副吸収体を個別に包囲するとともに易切り離し線を介して切り離し容易に繋げる透液性の包囲シートとを備え、
前記易切り離し線が前記腹側部から前記背側部に至る方向に延在するように、前記包囲シートの前記易切り離し線に沿った一方向に位置する一端縁が前記表面シートに連結されてフラップ状に可動自在に構成され、
前記副部を前記主部から切り離し容易にする易切り離し線が設けられた吸収性物品である。
【００２２】
請求項６記載の発明によれば、おむつやおむつカバー、パンツなどの人体に装着される外装体に内装することにより、主吸収体を備えた主部で着用者の股部を腹側から背側にかけて覆うことができるとともに、複数の副吸収体を備えた副部をフラップ状に自在に動かすことができ、複数の副吸収体同士を易切り離し線で切り離すことにより、副吸収体を互いに独立させてそれぞれフラップ状に自在に動かすことができ、左右の鼠径部それぞれに副吸収体をあてがうことができる。
また請求項６記載の発明によれば、前記副部を前記主部から切り離して使用したり、取り去ることが容易である。
【００２３】
請求項７記載の発明は、主部と副部とから構成され、
前記主部は、
透液性の表面シートと、不透液性の裏面シートと、前記表面シートと前記裏面シートとの間に介装される主吸収体とを備え、人体に装着される外装体に取り付けられて使用され、装着時に、着用者の腹側に位置する腹側部と、背側に位置する背側部と、前記腹側部と前記背側部との間に位置する股下部と、脚周りに位置する二つの脚周り部と、を備え、
前記副部は、
互いに分離された複数の副吸収体と、
当該複数の副吸収体を個別に包囲するとともに易切り離し線を介して切り離し容易に繋げる透液性の包囲シートとを備え、
前記易切り離し線が前記腹側部から前記背側部に至る方向に延在するように、前記包囲シートの前記易切り離し線に沿った一方向に位置する一端縁が前記表面シートに連結されてフラップ状に可動自在に構成され、
前記連結は伸縮部を介した連結であり、当該伸縮部の伸縮により前記副吸収体を前記一端縁から離したり、これに近づけたりすることが可能に構成された吸収性物品である。
【００２４】
請求項７記載の発明によれば、おむつやおむつカバー、パンツなどの人体に装着される外装体に内装することにより、主吸収体を備えた主部で着用者の股部を腹側から背側にかけて覆うことができるとともに、複数の副吸収体を備えた副部をフラップ状に自在に動かすことができ、複数の副吸収体同士を易切り離し線で切り離すことにより、副吸収体を互いに独立させてそれぞれフラップ状に自在に動かすことができ、左右の鼠径部それぞれに副吸収体をあてがうことができる。
また請求項７記載の発明によれば、伸縮部を伸縮させて副吸収体を表面シートとの連結位置から離したり、これに近づけたりできるので、副吸収体の配置の自由度が向上する。
【００２５】
請求項８記載の発明は、前記主部は、前記一端縁の外側で前記主吸収体の長手方向両側縁に沿って形成された立体ギャザーを備える請求項１から請求項７のうちいずれか一に記載の吸収性物品である。
【００２６】
請求項８記載の発明によれば、立体ギャザーの機能を損なうことなく、副部を設け、使用することができる。
【発明の効果】
【００２７】
以上のように本発明によれば、装着時に着用者の股部を腹側から背側にかけて覆うように形成された吸収性物品主部にフラップ状の副吸収体が事前に取り付けられており、副吸収体の自在な配置を可能とするので、その使い易さ、副吸収体の自在性が向上され、主部の鼠径部等からの漏れ防止性が向上するという効果がある。
【図面の簡単な説明】
【００２８】
【図１】本実施形態の吸収性物品の上側の一例を示す平面展開図である。
【図２】図１のＡ−Ａ部の一例を示す断面図である。
【図３】図１のＢ−Ｂ部の一例を示す断面図(a)及びこれに対し副部を起こした状態の断面図(b)である。
【図４】本発明の他の実施形態に係る吸収性物品の上側の一例を示す平面展開図である。
【図５】本発明の他の実施形態に係る吸収性物品の上側の一例を示す平面展開図である。
【図６】本発明の他の実施形態に係る吸収性物品の上側の一例を示す平面展開図である。
【図７】本発明の他の実施形態に係る吸収性物品の横断面（図１のＡ−Ａ部相当）の一例を示す断面図である。
【図８】本発明の他の実施形態に係る吸収性物品の上側の一例を示す平面展開図である。
【図９】本発明の他の実施形態に係る吸収性物品の上側の一例を示す平面展開図である。
【発明を実施するための形態】
【００２９】
以下に本発明の一実施形態につき図面を参照して説明する。以下は本発明の一実施形態であって本発明を限定するものではない。
【００３０】
なお、以下の説明では、本実施形態における吸収性物品１を展開した状態において、装着時に人体（着用者）の腹側に位置する側を前側、背側に位置する側を後側、着用者と接触する側を上側、着用者と接触する側の反対側を下側とし、前後方向と上下方向との双方に直交する方向を左右方向とする。
【００３１】
吸収性物品１は、例えば夜用又は長時間用の尿取りパッドであり、おむつやおむつカバー、パンツなどの人体に装着される外装体（図示省略）に着脱・交換自在に取り付けられて使用される。
【００３２】
本吸収性物品１は主部２と副部３とから構成される。
主部２は、装着時に着用者の股部を腹側から背側にかけて覆うように形成されている。
具体的には、主部２の一方の端部（前端部）が装着時に着用者の腹側に位置する腹側部１１を形成し、他方の端部（後端部）が装着時に着用者の背側に位置する背側部１２を形成し、腹側部１１と背側部１２との間が着用者の股下に位置する股下部１３を形成する。
腹側部１１と背側部１２の前後方向の長さが等しくされ、展開状態で全長が５０〜９０ｃｍの大きさで実施することが好ましい。
また、股下部１３の両縁部は、腹側部１１から背側部１２に亘って、装着時に着用者の脚周りに位置する二つの脚周り部１４を形成する。この脚周り部１４，１４には、糸ゴム等の平面ギャザー用弾性部材１４１がそれぞれ設けられ、この平面ギャザー用弾性部材１４１により平面ギャザーが形成されている。これにより、着用者の脚周りに伸縮自在にフィットするため、横漏れを抑制できるとともに、着用者の身体の動きに追従し易く主部２がズレ難くなっている。また、当該平面ギャザーによって、主部２が自然に湾曲するため、立体ギャザー（後述）を着用者の股下により密着させることができる。
【００３３】
主部２は、装着時に着用者との接触面側（上側）に設けられる透液性の表面シート２０と、装着時に着用者との接触面と反対側（下側）に設けられる不透液性の裏面シート３０と、装着時に着用者との接触面と反対側の外部側に設けられる不織布からなるバックシート（図示せず）と、表面シート２０と裏面シート３０との間に介装される主吸収体６０と、表面シート２０側の主吸収体６０の幅方向両側縁部（左側縁部及び右側縁部）に、主部２の長手方向（前後方向）に沿って備えられた立体ギャザー４，４と、により主に構成される。
【００３４】
表面シート２０は、主部２を装着した際に着用者に接する面を形成し、主吸収体６０の上側に設けられ、体液を受けて、主吸収体６０まで輸送する役割を果たす、透液性のシートである。
透液性シートとしては、例えば、ナイロン、ポリエチレンテレフタレート等の糸を平織り等したネット状のシート素材、多数の透孔を形成したフィルムシート材、ポリエチレンやポリプロピレンなどのフィルムシート材、透液性を有する織布、不織布が適し、特に不織布が適する。不織布としては、ポリエチレンやポリプロピレンなどのオレフィン系、ポリエステル系、ポリアミド系等の合成繊維、レーヨンやキュプラなどの再生繊維、綿等の天然繊維を繊維素材として、スパンレース法、スパンボンド法、サーマルボンド法、メルトブローン法、ニードルパンチ法等の適宜の加工法によって加工したものを用い得る。
【００３５】
裏面シート３０は、主吸収体６０の下側に設けられ、体液等の主部２外部への染み出し、漏れ出しを防ぐ役割を果たす、不透液性のシートである。
不透液性シートとしては、例えば、ポリエチレンやポリプロピレンなどの少なくとも遮水性を有するシート材であって、ムレ防止の観点から透湿性を有するシート材であることが好ましい。この遮水性と透湿性とを具備するシート材としては、例えば、ポリエチレンやポリプロピレンなどのオレフィン系樹脂中に無機充填剤を溶融混練してシートを成形した後、一軸又は二軸方向に延伸することにより得られる微多孔性シート材が好適に用いられる。
またその他にも、不透液性を有するフィルム層と、通気性を有する不織布層と、からなるラミ不織布を用いても良い。ラミ不織布とは、例えばポリエチレンシート等に不織布を積層した、ラミネート不織布と呼ばれる不織布のことであり、不透液性と通気性を併せ持つ不織布である。
なお、裏面シート３０は、不透液性のシートであれば、不透湿性であっても良い。
【００３６】
バックシートは、主部２を装着した際に着用者に接する面と反対側の面を形成し、裏面シート３０の表面シート２０側の面と反対側の面（下面）を覆うように設けられた不織布である。これにより、裏面シート３０の傷付きを防止できるようになっている。また、クロスライクさが得られるため、見た目にムレ難さを与えることができるとともに、着用者の肌への負担を軽減させることができる。
バックシートとしては、例えば、ケミカルボンド不織布、サーマルボンド不織布、スパンレース不織布、スパンボンド不織布、メルトブローン不織布、メルトブローン不織布、ヒートロール不織布、エアスルー不織布、不透液性不織布、或いはこれらの組み合わせからなるシートが挙げられるが、これらに限られるものではない。
【００３７】
立体ギャザー４，４は、ギャザーシート４Ａ，４Ａによりにより形成される。ギャザーシート４Ａ，４Ａは、表面シート２０側において、主吸収体６０の長手方向に沿った両側縁部に、腹側部１１から背側部１２に亘ってそれぞれ備えられている。ギャザーシート４Ａ，４Ａは、裏面シート３０と同じく不透液性のシートで形成される。
ギャザーシート４Ａ，４Ａの幅方向（左右方向）外側の部分は、主吸収体６０の側縁部上方で表面シート２０の上面に固着されている。
また、ギャザーシート４Ａ，４Ａの幅方向内側の部分は、一定の前後方向範囲に亘って表面シート２０に固定されておらず、その長手方向（前後方向）に沿って糸ゴム等の立体ギャザー用弾性部材４Ｂが備えられており、起立して着用者の体型に合わせて伸縮自在に変形可能な一対の立体ギャザー４，４が形成されている。
【００３８】
副部３は、互いに分離された２つの副吸収体３Ｌ，３Ｒと、副吸収体３Ｌ，３Ｒを個別に包囲するとともに易切り離し線３Ａを介して切り離し容易に繋げる透液性の包囲シート３Ｂとを備える。
易切り離し線３Ａは、通常状態では分離していない状態であるが、当該線をはさむ区画を異方向に引っ張るなど外力を加えると、当該線で切断して区画の分離がなされる線である。具体的には、ミシン目線、折筋、線状に低坪部分を設けて形成した低坪量線、紙力低下剤を線状に塗布して形成した線などである。易切り離し線３Ａを視認しやすくすべく易切り離し線上又は易切り離し線に沿って表面シートを着色してもよい。また、易切り離し線３Ａの近傍は包囲シート３Ｂの一面とこれに対向する包囲シート３Ｂの一面とを熱融着、熱圧着、ホットメルト接着剤による接着等により接着されているのが望ましい。このようにすると易切り離し線で切り離したときに、副吸収体３Ｌ，３Ｒの露出が防止される。
【００３９】
易切り離し線３Ａが腹側部１１から背側部１２に至る方向、すなわち、前後方向に延在するように、包囲シート３Ｂの易切り離し線３Ａに沿った一方向に位置する一端縁３Ｄが表面シート２０に連結されてフラップ状に可動自在に構成されている。この連結は、表面シート２０と包囲シート３Ｂとが連続した一枚の透液性シートとして形成されることでなされる。一枚の透液性シートとして連続する部位を一部とする場合は、図３(a)において一端縁３Ｄの上面側とされ、下面側については粘着材、接着剤で接合してもよいが、一端縁３Ｄの上面側及び下面側を含めて一端縁３Ｄの全周に亘り連続させることが好ましい。肌触りを良くするためである。
【００４０】
一端縁３Ｄは股下部１３で表面シート２０に連結されている。これにより、股下部１３内の一端縁３Ｄを基点として図３(b)に示すように副部３全体や易切り離し線３Ａで切り離された副吸収体３Ｌ，３Ｒそれぞれをフラップ状に自在に動かすことができる。単に前後方向に動くだけでなく、包囲シート３Ｂや副吸収体３Ｌ，３Ｒの柔軟性により、左右方向にも動かすことができる。
【００４１】
さらに、副吸収体３Ｌ，３Ｒを鼠径部に沿うように外側に倒しやすくするために、図４に示す吸収性物品１Ａのように副吸収体３Ｌ，３Ｒの一端縁３Ｄに臨む端面３Ｌ１，３Ｒ１が、外側ほど一端縁３Ｄから離れるように斜めに形成することが有効である。
すなわち、左側の副吸収体３Ｌを左鼠径部に沿うように左側に倒しやすくするために、副吸収体３Ｌの端面３Ｌ１が、左側ほど一端縁３Ｄから離れるように斜めにする。同様に右側の副吸収体３Ｒを右鼠径部に沿うように右側に倒しやすくするために、副吸収体３Ｒの端面３Ｒ１が、右側ほど一端縁３Ｄから離れるように斜めにする。
【００４２】
また、副吸収体３Ｌ，３Ｒの厚さに変化をつけて表面に凹凸が生じるように形成することも有効である。より細かく折り曲げ、折り畳み自在にして体との隙間を埋め易くするためである。
【００４３】
また、副吸収体は２枚に限らず、図５に示す吸収性物品１Ｂのように中央の副吸収体３Ｃを加えて３枚にしたり、それ以上の枚数に増設してもよい。副吸収体を３枚以上にする場合は、副吸収体の間ごとに易切り離し線３Ａを設け、易切り離し線３Ａが複数本となる。
【００４４】
また、副部３を連結する部位は股下部１３に限らず、図６に示す吸収性物品１Ｌのように副部３の一端縁３Ｄが背側部１２で表面シート２０に連結された構造とすることも有効である。背側部１２から腹側部１１までに亘る長尺の副部３Ｌを適用できる。そして副部３Ｌには長尺の副吸収体３ＬＬ，３ＲＬが備えられ、包囲シート３ＢＬに加工された易切り離し線３ＡＬによって切り離し自在である。副部３Ｌと表面シート２０と背側縁部で接着して、この部分をシート６で覆って処理してもよい。この構造において、副部３Ｌの動作により表面シート２０と接離する副部３Ｌの一面（図６の状態で下側面）と、表面シート２０とを着脱自在に止着する止着部５，５を備え付けるとよい。副部３Ｌを表面シート２０に止着して、全長又は一部に亘ってフラップ状に動作しないように固定することが容易であるとともに、止着を外して再びフラップ状に動作するように自由にすることが容易である。もちろん、図１〜図５に示した副部３に対して止着部を適用しても同様の効果がある。
止着部５，５としては、例えばホットメルト等の粘着材を適用する。止着部５，５をホットメルトで形成する場合、ホットメルトの目付けが高いほど（ホットメルトの塗布量が多いほど）粘着力は高くなるが、粘着力が高すぎると、表面シート２０を毛羽立たせてしまうおそれがあるため、ホットメルトの目付けは２０〜６０ｇ／ｍ２が好ましく、４０〜５０ｇ／ｍ２がより好ましい。
なお、止着部５，５は、粘着材に限ることはなく、副部３を主部２に固定させることができる部材であれば任意であり、例えば、面ファスナであっても良いが、できるだけやわらかい素材のものの方が着用者の身体の動きに追従し易く、好適である。
【００４５】
図３に示すように主吸収体６０は、一端縁３Ｄよりも腹側の副部３が敷き置かれる部分６０Ａが、当該部分６０Ａより背側の部分６０Ｂに比較して薄く形成されている。
これにより、図３(a)に示すように副部３を腹側に倒して主吸収体の部分６０Ａの上に敷き置くことにより、副部３の収まりが良好で使用感が向上する。かかる敷き置き状態において、部分６０Ｂと副部３の上面レベルが一致するように、部分６０Ａと部分６０Ｂの厚みの差を副部３の厚み分としてもよいし、部分６０Ａと部分６０Ｂの厚みの差を副部３の厚み分より小さくして、副部３の一部が収まるようにしてもよい。
【００４６】
主吸収体６０及び副吸収体３Ｌ，３Ｒは、吸収性物品１の使用時に体液としての尿等の水様成分を吸収する役割を果たすものである。
具体的には、主吸収体６０及び副吸収体３Ｌ，３Ｒは、例えば、綿やパルプなどの吸収性素材や、繊維或いはフィルム等のシート状基材と高吸収性ポリマーのような高吸水性樹脂とが組み合わされて形成された吸収体コアが、透液性のクレープ紙により覆われて構成されたものとされる。
高吸水性樹脂としては、カルボキシメチルセルロース、ポリアクリル酸及びその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨欄性ポリマーを部分架橋したもの、或いはイソブチレンとマレイン酸との共重合体等が好適に用いられる。
なお、主吸収体６０及び副吸収体３Ｌ，３Ｒにおいて、吸収体コアを覆うものは、クレープ紙に限ることはなく、透液性の不織布や孔開きシートなどであっても良い。
【００４７】
以上説明した本実施形態の吸収性物品１、１Ａ，１Ｂ，１Ｌによれば、おむつやおむつカバー、パンツなどの人体に装着される外装体に内装することにより、主吸収体６０を備えた主部２で着用者の股部を腹側から背側にかけて覆うことができるとともに、複数の副吸収体３Ｌ，３Ｒ（，３Ｃ）を備えた副部をフラップ状に自在に動かすことができ、複数の副吸収体同士を易切り離し線３Ａ（３ＡＬ）で切り離すことにより、副吸収体をそれぞれフラップ状に自在に動かすことができ、左右の鼠径部それぞれに副吸収体をあてがうことができる。
【００４８】
以上の実施形態に対する付加・変形例として、図３に示した部分６０Ａが図７に示すように副部３と同様のフラップ状に構成された吸収性物品１Ｃも有効である。
すなわち、吸収性物品１Ｃは、部分６０Ｂ（図３参照）から分岐又は分離された吸収体６０ＡＬ，６０ＡＲと、吸収体６０ＡＬ，６０ＡＲを個別に包囲するとともに易切り離し線６０Ｃを介して切り離し容易に繋げる透液性の包囲シート６０Ｄとを備える。
吸収体６０ＡＬ，６０ＡＲは、部分６０Ｂから分岐して形成されている場合は、主吸収体６０と一体であり、部分６０Ｂから分離している場合は、独立した各１個の吸収体である。
この吸収性物品１Ｃによっても、上記吸収性物品１、１Ａ，１Ｂ，１Ｌと同様の効果が得られるとともに、さらに表面シート２０に基端をおいてフラップ状に可動する部分が、少なくとも二つに分かれる上層の副吸収体３Ｌ，３Ｒに加え、下層にも少なくとも二つ（６０ＡＬ，６０ＡＲ）が増加し、少なくとも上下２つずつで合計４つとなり、これらの可動部を自在に配置することにより装着感やもれ防止性を良好にして使用することができるという効果がある。
【００４９】
さらに以上の実施形態に対する付加構成として、図８に示す吸収性物品１Ｄのように、副部３を主部２から切り離し容易にする易切り離し線３Ｅが設けられた構造とすることも有効である。易切り離し線３Ｅは、上記易切り離し線３Ａと同様に構成して実施することができる。吸収性物品１Ｄによれば、副部３を全体又は副吸収体３Ｌ，３Ｒごとに主部２から切り離して使用したり、取り去ることが容易である。
【００５０】
さらに以上の実施形態に対する付加構成として、図９に示す吸収性物品１Ｅのように、副部３と主部２との連結は伸縮部３Ｆを介した連結とし、伸縮部３Ｆの伸縮により副吸収体３Ｌ，３Ｒを一端縁３Ｄから離したり、一端縁３Ｄに近づけたりすること可能に構成とすることも有効である。伸縮部３Ｆは、例えば、平面ギャザーと同様に包囲シート３Ｂの撓ませた部分に、糸ゴム等の弾性繊維を副部３の延出方向に配置して付設することで形成する。吸収性物品１Ｅによれば、伸縮部３Ｆを伸縮させて副吸収体３Ｌ，３Ｒを表面シート２０との連結位置から離したり、これに近づけたりできるので、副吸収体３Ｌ，３Ｒの配置の自由度が向上する。
【００５１】
なお、本発明は、上記した実施の形態のものに限るものではなく、その要旨を逸脱しない範囲で適宜変更可能である。
本発明の吸収性物品は、平面ギャザーが股下部１３のみに備えられたものに限ることはなく、例えば、股下部１３及び背側部１２に平面ギャザーが備えられたものであっても良い。背側部１２にも平面ギャザーを備えた場合、吸収性物品が幅方向に湾曲し易くなるため、より液漏れし難くなる。
【００５２】
また、本発明の吸収性物品は、夜用又は長時間用の尿取りパッドに限るものではなく、透液性の表面シート２０と、不透液性の裏面シート３０と、表面シート２０と裏面シート３０との間に介装される主吸収体６０と、を備える吸収パッドであれば用途は任意である。
【符号の説明】
【００５３】
１，１Ａ−１Ｅ，１Ｌ  吸収性物品
２  主部
３  副部
３Ｌ，３Ｒ，３Ｃ  副吸収体
３Ａ，３Ｅ  易切り離し線
３Ｂ  包囲シート
３Ｄ  副部が主部に連結する一端縁
３Ｆ  伸縮部
１１  腹側部
１２  背側部
１３  股下部
１４  脚周り部
２０  表面シート
３０  裏面シート
４  立体ギャザー
６０  主吸収体
１４１  平面ギャザー用弾性部材
【図１】
0005581087.tif 000002
【図２】
0005581087.tif 000003
【図３】
0005581087.tif 000004
【図４】
0005581087.tif 000005
【図５】
0005581087.tif 000006
【図６】
0005581087.tif 000007
【図７】
0005581087.tif 000008
【図８】
0005581087.tif 000009
【図９】
0005581087.tif 000010